(57)【要約】【課題】  シート状物の供給装置において、供給不良を防止するための調整作業を容易にし生産性を低下させることがない。【解決手段】  カム１１の回転により回転軸２０を揺動中心として揺動する第２のアーム３５の揺動端部には、ピン３７を介して第１のレバー３６の第１の角部が枢着されている。第１のレバー３６の第２の角部には、連結レバー２６Ｂおよび被ガイド部材２９Ｂを介して第２の２吸４Ｂが連結されている。第１のレバー３６の第３の角部にピン３９を介して揺動端部が枢着された第２のレバー３８の揺動中心である連結軸４３は紙の搬送方向に移動調整可能になっている。【選択図】  図６
2010285266.tif 000002
【特許請求の範囲】
【請求項１】
シート状物を吸引保持する第１および第２の吸引保持手段と、
第１の軸部を中心に揺動することによって前記第１および第２の吸引保持手段を移動させる第１および第２のアームと、
前記第１および第２の吸引保持手段によって前記シート状物を吸引保持する第１の位置と、この第１の位置からシート状物の搬送方向に移動して前記第１および第２の吸引保持手段による吸引を解除する第２の位置との間で、前記第１および第２の吸引保持手段を移動させるように前記第１および第２のアームを駆動する駆動手段とを備えたシート状物の供給装置において、
前記第１および第２の吸引保持手段の少なくとも一方に前記第１の位置から前記第２の位置までの移動量を調整する調整手段とを備えたことを特徴とするシート状物の供給装置。
【請求項２】
前記調整手段は、
前記第１の吸引保持手段が前記第１の位置と前記第２の位置との間を移動する移動量に対して、
前記第２の吸引保持手段が前記第１の位置と前記第２の位置との間を移動する移動量を調整することを特徴とする請求項１記載のシート状物の供給装置。
【請求項３】
前記調整手段は、
前記第２の吸引保持手段の前記第２の位置を調整することを特徴とする請求項２記載のシート状物の供給装置。
【請求項４】
前記調整手段は、
前記第１の軸部を中心に揺動する前記第２のアームと、
第２の軸部を中心に揺動する第２のレバーと、
前記第２のアームに第３の軸部を介して枢支されるとともに、前記第２のレバーに第４の軸部を介して枢支された第１のレバーと、
前記第２のレバーを前記第４の軸部を中心に回動させる回動手段とを備え、
前記回動手段による前記第２のレバーの回動によって前記第２の軸部の中心は、前記第１の軸部の中心と同芯位置と、異なった位置との間で移動することを特徴とする請求項１記載のシート状物の供給装置。
【請求項５】
前記回動手段は、
前記第２の軸部を支持して第５の軸部を中心に回動自在に支持された第３のレバーを有し、
前記第４の軸部の中心は、前記第５の軸部の中心と同芯であることを特徴とする請求項４記載のシート状物の供給装置。
【請求項６】
前記第１のアームの前記第１の軸部から前記第１の吸引保持手段を移動させる前記第１のアームの作動部までの長さは、
前記第２のアームの前記第１の軸部から第２のアームの前記第３の軸部までの長さと、第１のレバーの前記第３の軸部から前記第２の吸引保持手段を移動させる前記第１のレバーの作動部までの長さの総和に等しいことを特徴とする請求項５記載のシート状物の供給装置。
【発明の詳細な説明】
【技術分野】
【０００１】
本発明は、積載されたシート状物を上層のものから１枚ずつ吸着して前方に送り出すシート状物の供給装置に関するものである。
【背景技術】
【０００２】
従来のシート状物の供給装置としては、上下動自在で下降することにより積載された紙の最上層の紙を吸着して上昇することにより紙を上方に持ち上げる第１の吸口と、この第１の吸口によって吸着された紙を吸い替えて前方に送り出す第２の吸口とを備えたものがある（例えば、特許文献１参照）。
【先行技術文献】
【特許文献】
【０００３】
【特許文献１】実公平３−２４５１１号公報
【発明の概要】
【発明が解決しようとする課題】
【０００４】
上述した従来のシート状物の供給装置においては、積載された紙が送り出される方向に対して傾いた状態になっていると、第２の吸口によってフィーダーボード上に送り出される紙も傾いたままの状態となる。傾いたままの状態でフィーダーボード上を搬送させると、フィーダーボードの終端部においてスイング装置によって紙をくわえるときに、くわえ損ないによる供給不良が発生するおそれがある。このため、フィーダーボードの先端には、傾きを矯正するための前当てが設けられている。しかしながら、傾きが大きいと前当てだけでは矯正ができなくなるため、フィーダーボードの上方に設けられているブラシローラによる搬送される紙に対する接触圧を調整することにより、フィーダーボード上を搬送されるときに紙の傾きを矯正する方法が採られている。しかしながら、この方法では、紙の幅方向と紙の搬送方向とにマトリックス状に設けられた多数のブラシローラを個々に調整する必要があるため、調整作業が煩雑で調整時間も余計にかかるため生産性が低下するという問題があった。
【０００５】
本発明は上記した従来の問題に鑑みなされたものであり、その目的とするところは、供給不良を防止するための調整作業を容易にし、生産性を低下させることがないシート状物の供給装置を提供するところにある。
ところにある。
【課題を解決するための手段】
【０００６】
この目的を達成するために、本発明は、シート状物を吸引保持する第１および第２の吸引保持手段と、第１の軸部を中心に揺動することによって前記第１および第２の吸引保持手段を移動させる第１および第２のアームと、前記第１および第２の吸引保持手段によって前記シート状物を吸引保持する第１の位置と、この第１の位置からシート状物の搬送方向に移動して前記第１および第２の吸引保持手段による吸引を解除する第２の位置との間で、前記第１および第２の吸引保持手段を移動させるように前記第１および第２のアームを駆動する駆動手段とを備えたシート状物の供給装置において、前記第１および第２の吸引保持手段の少なくとも一方に前記第１の位置から前記第２の位置までの移動量を調整する調整手段とを備えたものである。
【０００７】
本発明は、前記発明において、前記調整手段は、前記第１の吸引保持手段が前記第１の位置と前記第２の位置との間を移動する移動量に対して、前記第２の吸引保持手段が前記第１の位置と前記第２の位置との間を移動する移動量を調整するものである。
【０００８】
本発明は、前記発明のいずれか一つの発明において、前記調整手段は、前記第２の吸引保持手段の前記第２の位置を調整するものである。
【０００９】
本発明は、前記発明において、前記調整手段は、前記第１の軸部を中心に揺動する前記第２のアームと、第２の軸部を中心に揺動する第２のレバーと、前記第２のアームに第３の軸部を介して枢支されるとともに、前記第２のレバーに第４の軸部を介して枢支された第１のレバーと、前記第２のレバーを前記第４の軸部を中心に回動させる回動手段とを備え、前記回動手段による前記第２のレバーの回動によって前記第２の軸部の中心は、前記第１の軸部の中心と同芯位置と、異なった位置との間で移動するものである。
【００１０】
本発明は、前記発明のいずれか一つの発明において、前記回動手段は、前記第２の軸部を支持して第５の軸部を中心に回動自在に支持された第３のレバーを有し、前記第４の軸部の中心は、前記第５の軸部の中心と同芯である。
【００１１】
本発明は、前記発明のいずれか一つの発明において、前記第１のアームの前記第１の軸部から前記第１の吸引保持手段を移動させる前記第１のアームの作動部までの長さは、前記第２のアームの前記第１の軸部から第２のアームの前記第３の軸部までの長さと、第１のレバーの前記第３の軸部から前記第２の吸引保持手段を移動させる前記第１のレバーの作動部までの長さの総和に等しい。
【発明の効果】
【００１２】
本発明によれば、調整手段によって第１および第２の吸引保持手段の第１の位置から第２の位置までの移動量を調整することにより、シート状物の供給装置に積載されたシート状物が搬送方向に対して傾いていたとしても、第１および第２の吸引保持手段の第１の位置から第２の位置まで移動する間に傾きが是正されるため、供給不良を防止することができる。また、供給不良を防止するための調整作業を第１および第２の吸引保持手段の第１の位置から第２の位置までの移動量を調整するだけで済むので、調整作業が容易で短時間で行うことができるから生産性を低下させるようなことがない。
【図面の簡単な説明】
【００１３】
【図１】本発明に係るシート状物の供給装置の側面図である。
【図２】本発明に係るシート状物の供給装置において、要部を示す平面図である。
【図３】同図（Ａ）は本発明に係るシート状物の供給装置において、要部をサッカーフレームの外側から視た斜視図、同図（Ｂ）はサッカーフレームの内側から視た斜視図である。
【図４】図２におけるIV矢視図であって、同図（Ａ）は第１の吸口が第１の位置に位置付けられている状態を示し、同図（Ｂ）は第１の吸口が第２の位置に位置付けられている状態を示す。
【図５】図２におけるV 矢視図であって、同図（Ａ）は第２の第２の吸口が第１の位置に位置付けられている状態を示し、同図（Ｂ）は第２の第２の吸口が第２の位置に位置付けられている状態を示す。
【図６】第２の第２の吸口の第２の位置を第１の第２の吸口の第２の位置に対してシート状物搬送方向へ移動させる調整を行った態様を示す図２におけるV 矢視図であって、同図（Ａ）は第２の第２の吸口が第１の位置に位置付けられている状態を示し、同図（Ｂ）は第２の第２の吸口が第２の位置に位置付けられている状態を示す。
【図７】第２の第２の吸口の第２の位置を第１の第２の吸口の第２の位置に対してシート状物搬送方向と反対方向へ移動させる調整を行った態様を示す図２におけるV 矢視図であって、同図（Ａ）は第２の第２の吸口が第１の位置に位置付けられている状態を示し、同図（Ｂ）は第２の第２の吸口が第２の位置に位置付けられている状態を示す。
【図８】本発明に係るシート状物の供給装置において、傾いた紙の傾きを是正する方法を説明するための模式図である。
【図９】本発明の他の実施の形態を示し、傾いた紙の傾きを是正する方法を説明するための模式図である。
【発明を実施するための形態】
【００１４】
以下、本発明の実施の形態を図に基づいて説明する。図１は本発明に係るシート状物の供給装置の側面図、図２は同じく要部を示す平面図、図３（Ａ）は同じく要部をサッカーフレームの外側から視た斜視図、同図（Ｂ）はサッカーフレームの内側から視た斜視図、図４は図２におけるIV矢視図であって、同図（Ａ）は第１の吸口が第１の位置に位置付けられている状態を示し、同図（Ｂ）は第１の吸口が第２の位置に位置付けられている状態を示し、図５は図２におけるV 矢視図であって、同図（Ａ）は第２の第２の吸口が第１の位置に位置付けられている状態を示し、同図（Ｂ）は第２の第２の吸口が第２の位置に位置付けられている状態を示す。
【００１５】
図６は第２の第２の吸口の第２の位置を第１の第２の吸口の第２の位置に対してシート状物搬送方向へ移動させる調整を行った態様を示す図２におけるV 矢視図であって、同図（Ａ）は第２の第２の吸口が第１の位置に位置付けられている状態を示し、同図（Ｂ）は第２の２吸が第２の位置に位置付けられている状態を示す。図７は第２の２吸の第２の位置を第１の第２の吸口の第２の位置に対してシート状物搬送方向と反対方向に移動させる調整を行った態様を示す図２におけるV 矢視図であって、同図（Ａ）は第２の第２の吸口が第１の位置に位置付けられている状態を示し、同図（Ｂ）は第２の第２の吸口が第２の位置に位置付けられている状態を示し、図８は同じく傾いた紙の傾きを是正する方法を説明するための模式図である。なお、図３においては、説明の便宜上、一方のサッカーフレーム９Ｂについては図示を省略している。また、図８においては、紙の傾き量や第２の第２の吸口４Ｂの移動量を実際よりも誇張して図示している。
【００１６】
図１に全体を符号１で示すシート状物の供給装置は、紙積台上に積載されたシート状物としての紙２のうち最上層の紙から１枚ずつ吸着して上昇することにより紙を上方に持ち上げる複数個の第１の吸口３（以下、１吸３と略称する）と、この１吸３から受け渡された紙２を吸着し搬送する第１および第２の吸引保持手段としての第２の吸口４Ａ，４Ｂ（以下、第１の２吸４Ａと第２の２吸４Ｂと略称する）と、１吸３に吸着された１枚目の紙とその下の紙との間に進出して下の紙を押さえた後、エアを供給することで１枚目の紙とその下の紙との間を分離する吹足５と、積載されている紙２の分離を良好とするためにエアを吹くエア吹き６とを備えている。
【００１７】
８は左右のサッカーフレーム９Ａ，９Ｂ（図２参照）に軸支されたカム軸であって、１吸３用のカム１０と第１および第２の２吸４Ａ，４Ｂ用のカム１１（図４参照）とが軸着されている。１２はサッカーフレーム９Ａ，９Ｂに軸支されたピン１３に基端部が枢着されたカムレバーであって、揺動端部にはレバー１４を介して１吸３が支持されており、中央部にカムフォロア１５が枢着されている。このカムフォロア１５は引張りコイルばね１６の引張力によってカム１０の大径カム面１０ａと小径カム面１０ｂとに圧接されている。したがって、カム１０が回転することにより、カム１０の大径カム面１０ａと小径カム面１０ｂと引張りコイルばね１６の引張力との協働によって、カムレバー１２が揺動し、１吸３が上下動する。１７，１８は上下一対の紙送りローラであって、２吸４Ａ，４Ｂに吸着された状態で搬送され吸着を解除された紙２を捕捉してフィーダーボード（図示せず）へ送り出す。
【００１８】
次に、図１ないし図５を用いて、本発明の特徴である２吸４Ａ，４Ｂを移動させる構造について説明する。これら第１の２吸４Ａと第２の２吸４Ｂとは、紙積台上に積載された紙２の幅方向の両端部のそれぞれに対応して設けられている。先ず、第１の２吸４Ａを紙２の搬送方向（矢印Ａ方向）と反対方向（矢印Ｂ方向）へ移動させるための駆動構造について説明する。図２において、２０はサッカーフレーム９Ａとサッカーフレーム９Ｂに固定されたサブフレーム２１間に回転自在に支持された第１の軸部としての回転軸である。
【００１９】
２２は基端部が回転軸２０に軸着されたカムレバーであって、その揺動端部には第１および第２の２吸４Ａ，４Ｂ用のカム１１に圧接されたカムフォロア２３が枢着されている。このカムフォロア２３は引張りコイルばね２４の引張力によってカム１１の大径カム面１１ａと小径カム面１１ｂとに圧接されている。したがって、カム１１が回転し、図４（Ａ）に示すようにカム１１の大径カム面１１ａから小径カム面１１ｂへ向けてカムフォロア２３が転動することによって、カムレバー２２を介して回転軸２０が図中時計方向に回動する。一方、カム１１が回転し、同図（Ｂ）に示すようにカム１１の小径カム面１１ｂから大径カム面１１ａへ向けてカムフォロア２３が転動することによって、カムレバー２２を介して回転軸２０が図中反時計方向に回動する。
【００２０】
図２において、２５は基端部が回動軸２０に軸着された第１のアームであって、揺動端部には作動部としてのピン２７Ａを介して連結レバー２６Ａの一端部が枢着されている。この連結レバー２６Ａの他端部には、ピン２８Ａを介して被ガイド部材２９Ａが枢着されており、この被ガイド部材２９Ａには、連結棒３３を介して第１の２吸４Ａが連結されている。この第１のアーム２５の回転軸２０の軸芯とピン２７Ａの軸芯とを結ぶ線Ｇ２の方向と、上記したカムレバー２２の回転軸２０の軸芯とカムフォロア２３の軸芯とを結ぶ線Ｇ１の方向とが一致している。被ガイド部材２９Ａには一対のころ３０Ａ，３０Ａが枢着されており、これらのころ３０Ａは、図３（Ａ）に示すように、一方のサッカーフレーム９Ａに固定されたガイド部材３１Ａの矢印Ａ−Ｂ方向に延在するガイド溝３１ａに係入されている。
【００２１】
したがって、図４（Ａ）に示すようにカム１１の大径カム面１１ａから小径カム面１１ｂへ向けてカムフォロア２３が転動することによって、回転軸２０が図中時計方向に回動し、第１のアーム２５も回転軸２０を回動中心として時計方向へ回動する。この第１のアーム２５の回動により、連結レバー２６Ａを介して被ガイド部材２９Ａが、ガイド部材３１Ａのガイド溝３１ａに案内されるころ３０Ａによって矢印Ｂ方向へ移動する。この被ガイド部材２９Ａが矢印Ｂ方向へ移動して第１の２吸４Ａが図中位置付けられる位置「Ｃ」において、第１の２吸４Ａに１吸３からの紙２の吸着替えが行われ、紙２が第１の２吸４Ａに受け渡される。この第１の２吸４Ａへの紙２の受け渡しが行われる「Ｃ」点を、以下、説明の便宜上第１の位置「Ｃ」という。
【００２２】
一方、同図（Ｂ）に示すようにカム１１の小径カム面１１ｂから大径カム面１１ａへ向けてカムフォロア２３が転動することによって、回転軸２０が図中反時計方向に回動し、第１のアーム２５も回転軸２０を回動中心として反時計方向へ回動する。この第１のアーム２５の回動により、連結レバー２６Ａを介して被ガイド部材２９Ａが、ガイド部材３１Ａのガイド溝３１ａに案内されるころ３０Ａによって矢印Ａ方向へ移動する。この被ガイド部材２９Ａが矢印Ａ方向へ距離Ｌだけ移動して第１の２吸４Ａが図中位置付けられる位置「Ｄ」において、第１の２吸４Ａによる紙２の吸着が解除される。この第１の２吸４Ａによる紙２の吸着が解除される「Ｄ」点を、以下、説明の便宜上第２の位置「Ｄ」という。
【００２３】
次に、第２の２吸４Ｂを移動させる構造について説明する。図２において、３５は基端部が回動軸２０に軸着された第２のアームであって、回動軸２０の時計・反時計方向の回動によって上記した第１のアーム２５と、互いに同期して同一の回動量だけ回動する。この第２のアーム３５の揺動端部には、図５（Ａ）に示すように第３の軸部としてのピン３７を介して三角形に形成された第１のレバー３６の第１の角部が枢着されており、この第１のレバー３６の第２の角部には、作動部としてのピン２７Ｂを介して連結レバー２６Ｂの一端部が枢着されている。この第２のアーム３５の回転軸２０の軸芯とピン３７の軸芯とを結ぶ線Ｇ３の方向と、上記した回転軸２０の軸芯とカムフォロア２３の軸芯とを結ぶ線Ｇ１の方向とが一致している。したがって、この第２のアーム３５の回転軸２０の軸芯とピン３７の軸芯とを結ぶ線Ｇ３の方向と、上記した第１のアーム２５の回転軸２０とピン２７Ａとを結線した軸線Ｇ２の方向とが一致している。また、回転軸２０とピン３７とを結線した軸線Ｇ３の延長線上にピン２７Ｂが位置付けられている。ここで、上記した第１のアーム２５の回動軸２０から第１の２吸４Ａを移動させる第１のアーム３５のピン２７Ａまでの長さは、第２のアーム３５の回転軸２０から第２のアーム３５のピン３７までの長さと、第１のレバー３６のピン３７から第２の２吸４Ｂを移動させる第１のレバー３６のピン２７Ｂまでの長さの総和に等しい。
【００２４】
連結レバー２６Ｂの他端部にはピン２８Ｂを介して、被ガイド部材２９Ｂが枢着されており、この被ガイド部材２９Ｂには、連結棒３３を介して第２の２吸４Ｂが連結されている。この被ガイド部材２９Ｂには一対のころ３０Ｂ，３０Ｂが枢着されており、これらのころ３０Ｂは、図３（Ｂ）に示すように、他方のサッカーフレーム９Ｂに固定されたガイド部材３１Ｂの矢印Ａ−Ｂ方向に延在するガイド溝３１ａに係入されている。第１のレバー３６の第３の角部には、第４の軸部としてのピン３９を介して第２のレバー３８の揺動端部が枢着されている。ピン３７は第２のアーム３５を介して回転軸２０の中心Ｏ１を回動中心として回動し、ピン３９は第２のレバー３８を介して第２の軸部としての連結ピン４３の中心Ｏ２を回動中心として回動する。これらピン３７とピン３９との間隔は第１のレバー３６によって変わらないように一定に保たれている。
【００２５】
図２および図３において、４０は他方のサッカーフレーム９Ｂの外側に第５の軸部としてのピン４１を介して基端部が枢着された第３のレバーであって、揺動端部にねじ孔が設けられたねじ受け４２が枢着されている。また、この第３のレバー４０のピン４１とねじ受け４２との間に位置する部位には、サッカーフレーム９Ｂに設けた長孔９ａを貫通する連結ピン４３を介してサッカーフレーム９Ｂの内側に位置する上記した第２のレバー３８の他端部が枢着されている。この連結ピン４３の中心Ｏ２と上記した回転軸２０の中心Ｏ１とは、連結ピン４３の中心Ｏ２の位置を調整しない図５で示す状態で一致している。また、ピン３９は第２の２吸４Ｂが第１の位置「Ｃ」に在るときは、後述するねじ棒４４を操作して連結ピン４３の中心Ｏ２の位置を調整する、図６（Ａ）および図７（Ａ）に示す状態としても、側面視においてピン４１と同芯に位置するように構成されている。したがって、ねじ棒４４を操作して連結ピン４３の中心Ｏ２の位置を調整したときに回動するレバーは、ピン４１を回動中心とした第３のレバー４０とピン３９を回動中心とした第２のレバー３８だけであって、第１のレバー３６と連結レバー２６Ｂとは回動することがない。すなわち、ねじ棒４４を操作しても、第２の２吸４Ｂは図６（Ａ）および図７（Ａ）に示すように移動することはない。
【００２６】
４４はサッカーフレーム９Ｂに枢着された支持部材４５，４６に軸線方向（矢印Ａ−Ｂ方向）への移動を規制された状態で回転自在に支持されたねじ棒であって、先端部に形成されたねじ部４４ａがねじ受け４２のねじ孔に螺合している。したがって、ねじ棒４４を一方向へ回転操作することによりねじ受け４２が図２中矢印Ａ方向へ移動し、第３のレバー４０がピン４１を回動中心として、図３中時計方向に回動する。
【００２７】
この回動によって、連結ピン４３の中心Ｏ２がピン３９を中心として時計方向に回動する、すなわち図６に示すように回転軸２０の中心Ｏ１に対して矢印Ａ方向に移動する。一方、ねじ棒４４を他方向へ回転操作することによりねじ受け４２が図２中矢印Ｂ方向へ移動し、第３のレバー４０がピン４１を回動中心として反時計方向に回動する。この回動によって、連結ピン４３の中心Ｏ２がピン３９を中心として反時計方向に回動する、すなわち図７に示すように回転軸２０の中心Ｏ１に対して矢印Ｂ方向に移動する。
【００２８】
このような構成において、図５（Ａ）に示すようにカム１１の大径カム面１１ａから小径カム面１１ｂへ向けてカムフォロア２３が転動することによって、回転軸２０が図中時計方向に回動し、第２のアーム３５も回転軸２０を回動中心として時計方向へ回動する。この第２のアーム３５の回動により、第１のレバー３６および連結レバー２６Ｂを介して被ガイド部材２９Ｂが、ガイド部材３１Ｂのガイド溝３１ａに案内されるころ３０Ｂによって矢印Ｂ方向へ移動する。この被ガイド部材２９Ｂが矢印Ｂ方向へ移動して第２の２吸４Ｂが図中位置付けられる位置「Ｃ」において、第２の２吸４Ｂに１吸３からの紙２の吸着替えが行われ、紙２が第２の２吸４Ｂに受け渡される。この第２の２吸４Ｂへの紙２の受け渡しが行われる「Ｃ」点を、以下、上記した第１の２吸４Ａと同様に、説明の便宜上第１の位置「Ｃ」という。
【００２９】
一方、同図（Ｂ）に示すようにカム１１の小径カム面１１ｂから大径カム面１１ａへ向けてカムフォロア２３が転動することによって、回転軸２０が図中反時計方向に回動し、第２のアーム３５も回転軸２０を回動中心として反時計方向へ回動する。この第２のアーム３５の回動により、第２のレバー３８が第１のレバー３６を介して図中反時計方向に回動するから、第１のレバー３６および連結レバー２６Ｂを介して被ガイド部材２９Ｂが、ガイド部材３１Ｂのガイド溝３１ａに案内されるころ３０Ｂによって矢印Ａ方向へ移動する。この被ガイド部材２９Ｂが矢印Ａ方向へ距離Ｌだけ移動して第２の２吸４Ｂが図中位置付けられる位置「Ｄ′」において、第２の２吸４Ｂによる紙２の吸着が解除される。この第２の２吸４Ｂによる紙２の吸着が解除される「Ｄ′」点を、上記した第１の２吸４Ａと同様に、以下、説明の便宜上第２の位置「Ｄ′」という。
【００３０】
この第２の２吸４Ａの第１の位置は、上述したように連結ピン４３の中心Ｏ２と回転軸２０の中心Ｏ１とが一致または一致していないことにかかわらず、常に第１の２吸４Ａの第１の位置と一致している。一方、第２の２吸４Ｂの第２の位置は、連結ピン４３の中心Ｏ２と回転軸２０の中心Ｏ１とが一致している場合だけ、第１の２吸４Ａの第２の位置と一致する。すなわち、連結ピン４３の中心Ｏ２が回転軸２０の中心Ｏ１に対して矢印Ａ方向に移動した図６に示す状態のときは、後述するように第２の２吸４Ｂの第２の位置「Ｄ′」は、第１の２吸４Ａの第２の位置「Ｄ」よりも矢印Ｂ方向へ移動する。一方、連結ピン４３の中心Ｏ２が回転軸２０の中心Ｏ１に対して矢印Ｂ方向に移動した図７に示す状態のときは、後述するように第２の２吸４Ｂの第２の位置「Ｄ′」は、第１の２吸４Ａの第２の位置「Ｄ」よりも矢印Ａ方向へ移動する。
【００３１】
これを、図５ないし図７を用いて説明する。先ず、図５に示すように、連結ピン４３の中心Ｏ２が回転軸２０の中心Ｏ１と一致している場合について説明する。この場合は、同図（Ａ）から同図（Ｂ）に移行すると、第２のアーム３５がＯ１を回動中心として角度Ｘだけ反時計方向に回動することにより、ピン３７も反時計方向に角度Ｘだけ回動する。ここで、Ｏ１とＯ２とが一致しているため、第２のアーム３５の回動にともなって回動する第２のレバー３８は、Ｏ２（Ｏ１）を回動中心として反時計方向に角度Ｘだけ回動することにより、ピン３９もＯ２（Ｏ１）を回動中心として反時計方向に角度Ｘだけ回動する。したがって、ピン３７とピン３９を支持している第１の角部と第３の角部とが角度Ｘだけ回動する第１のレバー３６のピン２７Ｂを支持している第２の角部は、Ｏ２（Ｏ１）を回動中心として反時計方向に角度Ｘだけ回動することになる。
【００３２】
次に、図６に示すようにＯ１に対してＯ２を矢印Ａ方向に位置させる調整を行った場合について説明する。この場合は、同図（Ａ）から同図（Ｂ）に移行すると、第２のアーム３５がＯ１を回動中心として、角度Ｘだけ反時計方向に回動することにより、ピン３７も回動軌跡Ｐに沿って反時計方向に角度Ｘだけ回動する。第２のアーム３５の回動にともなって回動する第２のレバー３８は、Ｏ２を回動中心とし、かつピン３７とピン３９との間隔を変えないように反時計方向に回動する。ここで、Ｏ２がＯ１に対して矢印Ａ方向に位置しているため、ピン３９の回動軌跡Ｑがピン３７の回動軌跡Ｐよりも外側に位置するから、第１のレバー３６の第２の角部に支持されているピン２７Ｂは角度（Ｘ−Ｙ）だけ回動することになる。
【００３３】
次に、図７に示すようにＯ１に対してＯ２を矢印Ｂ方向に位置させる調整を行った場合について説明する。この場合は、同図（Ａ）から同図（Ｂ）に移行すると、第２のアーム３５がＯ１を回動中心として、角度Ｘだけ反時計方向に回動することにより、ピン３７も回動軌跡Ｐに沿って反時計方向に角度Ｘだけ回動する。第２のアーム３５の回動にともなって回動する第２のレバー３８は、Ｏ２を回動中心とし、かつピン３７とピン３９との間隔を変えないように反時計方向に回動する。ここで、Ｏ２がＯ１に対して矢印Ｂ方向に位置しているため、ピン３９の回動軌跡Ｒがピン３７の回動軌跡Ｐよりも内側に位置するから、第１のレバー３６の第２の角部に支持されているピン２７Ｂは角度（Ｘ＋Ｚ）だけ回動することになる。
【００３４】
次に、図８を用いて、このように構成されたシート状物の供給装置におけるシート状物の供給方法について説明する。同図（Ａ）に示すようにシート状物の供給装置１の紙積台に積載された紙２が搬送方向Ａに対して幅方向の傾きがない場合は、図５に示すように連結ピン４３の中心Ｏ２が回転軸２０の中心Ｏ１に一致するように調整する。この調整により、第１の２吸４Ａと第２の２吸４Ｂとが、共に同じ距離Ｌだけ矢印Ａ方向に移動するため、これら第１および第２の２吸４Ａ，４Ｂによって紙２が搬送方向に対して傾きがない姿勢で搬送され、フィーダーボード（図示せず）上に供給される。
【００３５】
次に、同図（Ｂ）に示すように、シート状物の供給装置１の紙積台に積載された紙２が搬送方向Ａに対して、第２の２吸４Ｂと反対方向に傾いている場合は、図６に示すように回転軸２０の中心Ｏ１に対して連結ピン４３の中心Ｏ２を矢印Ａ方向に移動させる調整を行う。この調整により、第２の２吸４Ｂが第１の２吸４Ａの移動量Ｌよりも長さδだけ短い移動量となるため、これら第１の２吸４Ａと第２の２吸４Ｂとによって搬送される紙２は傾きが是正されて、傾きがない状態でフィーダーボード上に供給される。
【００３６】
次に、同図（Ｃ）に示すように、シート状物の供給装置１の紙積台に積載された紙２が供給方向Ａに対して、第２の２吸４Ｂ側に傾いている場合は、図７に示すように回転軸２０の中心Ｏ１に対して連結ピン４３の中心Ｏ２を矢印Ｂ方向に移動させる調整を行う。この調整により、第２の２吸４Ｂが第１の２吸４Ａの移動量Ｌよりも長さδだけ長い移動量となるため、これら第１の２吸４Ａと第２の２吸４Ｂとによって搬送される紙２は傾きが是正されて、傾きがない状態でフィーダーボード上に供給される。
【００３７】
このように、調整手段５０によって第１の２吸４Ａの移動量に対して第２の２吸４Ｂの移動量を調整することにより、シート状物の供給装置１の紙積台に積載された紙２の幅方向Ｃが搬送方向に対して傾いていたとしても、第１および第２の２吸４Ａ，４Ｂが第１の位置「Ｃ」から第２の位置「Ｄ」まで移動する間に傾きが是正されるため、供給不良を防止することができる。また、供給不良を防止するための調整作業を第２の２吸４Ｂの移動量を調整するだけで済むので、調整作業が容易で短時間で行うことができるから生産性を向上させるようなことがない。
【００３８】
図９は本発明の他の実施の形態における傾いた紙の傾きを是正する方法を説明するための模式図である。上述した実施の形態においては、第１の位置「Ｃ」における第１の２吸４Ａおよび第２の２吸４Ｂを、紙の幅方向において同一の位置とし、第２の位置「Ｄ」における第１の２吸４Ａおよび第２の２吸４Ｂの位置を紙の幅方向において異なるように調整するようにしたが、この他の実施の形態においては、第２の位置「Ｄ」における第１の２吸４Ａおよび第２の２吸４Ｂを、紙の幅方向において同一の位置とし、第１の位置「Ｃ」における第１の２吸４Ａおよび第２の２吸４Ｂの位置を紙の幅方向において異なるように調整するようにしている。その場合には、ピン３９は第２の２吸４Ｂが第２の位置「Ｄ」に位置するとき、すなわち図５（Ｂ）、図６（Ｂ）および図７（Ｂ）に示す状態とするとき、側面視においてピン４１と同芯に位置するように構成するようにすればよい。
【００３９】
次に、図９を用いて、本発明の他の実施の形態におけるシート状物の供給方法について説明する。同図（Ａ）に示すようにシート状物の供給装置１の紙積台に積載された紙２が搬送方向Ａに対して幅方向の傾きがない場合は、図５に示すように連結ピン４３の中心Ｏ２が回転軸２０の中心Ｏ１に一致するように調整する。この調整により、第１の２吸４Ａと第２の２吸４Ｂとが、共に同じ距離Ｌだけ矢印Ａ方向に移動するため、これら第１および第２の２吸４Ａ，４Ｂによって紙２が搬送方向に対して傾きがない姿勢で搬送され、フィーダーボード（図示せず）上に供給される。
【００４０】
次に、同図（Ｂ）に示すように、シート状物の供給装置１の紙積台に積載された紙２が搬送方向Ａに対して、第２の２吸４Ｂと反対方向に傾いている場合は、図６に示すように回転軸２０の中心Ｏ１に対して連結ピン４３の中心Ｏ２を矢印Ａ方向に移動させる調整を行う。この調整により、第２の２吸４Ｂが第１の２吸４Ａの移動量Ｌよりも長さδだけ短い移動量となるため、これら第１の２吸４Ａと第２の２吸４Ｂとによって搬送される紙２は傾きが是正されて、傾きがない状態でフィーダーボード上に供給される。
【００４１】
次に、同図（Ｃ）に示すように、シート状物の供給装置１の紙積台に積載された紙２が供給方向Ａに対して、第２の２吸４Ｂ側に傾いている場合は、図７に示すように回転軸２０の中心Ｏ１に対して連結ピン４３の中心Ｏ２を矢印Ｂ方向に移動させる調整を行う。この調整により、第２の２吸４Ｂが第１の２吸４Ａの移動量Ｌよりも長さδだけ長い移動量となるため、これら第１の２吸４Ａと第２の２吸４Ｂとによって搬送される紙２は傾きが是正されて、傾きがない状態でフィーダーボード上に供給される。
【符号の説明】
【００４２】
１…シート状物の供給装置、２…紙（シート状物）、３…１吸（第１の吸口）、４Ａ…第１の２吸（第１の第２の吸口）、４Ｂ…第２の２吸（第２の第２の吸口）、１１…カム、２０…回転軸（第１の軸部）、２５…第１のアーム、３５…第２のアーム、３６…第１のレバー、３８…第２のレバー、４０…第３のレバー、４３…連結ピン、４４…ねじ棒、５０…調整手段、Ｏ１…回転軸２０の軸芯、Ｏ２…連結ピン４３の軸芯。
【図１】
2010285266.tif 000003
【図２】
2010285266.tif 000004
【図３】
2010285266.tif 000005
【図４】
2010285266.tif 000006
【図５】
2010285266.tif 000007
【図６】
2010285266.tif 000008
【図７】
2010285266.tif 000009
【図８】
2010285266.tif 000010
【図９】
2010285266.tif 000011